(57)【特許請求の範囲】
【請求項１】
液体試料に光を照射して液体試料を分析するために用いられる光学分析用セルにおいて、
中心部に液体試料が流動可能なように流動空間が貫設される両面テープと、
前記両面テープの一方の面に取り付けられ、前記両面テープの流動空間に／から液体試料が流入／流出可能なように前記流動空間にそれぞれ連通されるメイン流入流路及びメイン流出流路が内部に形成される透明キュベットと、
前記両面テープの他方の面に取り付けられる透明カバーと、を備え、
前記透明キュベットの前記両面テープに対する接触面の上には、前記メイン流入流路及びメイン流出流路よりも小径の微細流入流路及び微細流出流路が前記流動空間と連通されるように形成され、前記メイン流入流路及びメイン流出流路はそれぞれ前記微細流入流路及び微細流出流路を介して前記流動空間と連通されるように形成されることを特徴とする光学分析用セル。
【請求項２】
前記透明キュベットには、前記メイン流入流路及びメイン流出流路にそれぞれ連通されるように流入ポート及び流出ポートがそれぞれ外部に突出するように形成されることを特徴とする請求項１に記載の光学分析用セル。
【請求項３】
前記流動空間は、周縁部の両端部が前記メイン流入流路及びメイン流出流路にそれぞれ連通されるように形成され、前記メイン流入流路及びメイン流出流路とそれぞれ連通される両端部から中心部に向かうにつれて拡張されるように形成されることを特徴とする請求項１に記載の光学分析用セル。
【請求項４】
前記透明キュベットの外側面と前記透明カバーの外側面にはそれぞれ熱伝導プレートが結合され、前記熱伝導プレートの中心部には光が通過するように貫通孔が形成され、前記貫通孔は前記流動空間の上に位置するように形成されることを特徴とする請求項１から請求項３のいずれかに記載の光学分析用セル。
【発明の詳細な説明】
【技術分野】
【０００１】
本発明は光学分析用セルに係り、さらに詳しくは、液体試料が通過する微細流路に対する特別な加工作業なしに単なる両面テープの貼着によって超薄型の流動空間を形成することにより、非常に手軽に製作可能であり、これにより製作コストが節減されて一層広く使用可能であり、液体試料が流動する流動空間に対する光の通過距離を短く維持することができて吸光度の高い試料を希釈することなく正確な光学分析作業を行うことができ、光が通過する方向に対して垂直な面に沿って流動空間領域を拡張または変更可能にすることにより、光学分析作業を一層スムーズに行うことができ、しかも、光学分析作業に対する正確度を向上させることのできる光学分析用セルに関する。
【背景技術】
【０００２】
一般に、各種の研究所、学校の実験室、病因などにおいては、種々の実験または分析が行われているが、特に、生化学的な実験または分析に際しては、各種の研究資料または試料に対する成分分析などのために種々の溶液を用いて実験または分析を行っている。
【０００３】
このような実験及び分析方法の一つとして、液体試料に光を照射する方式の光学分析方法が広く用いられているが、このような光学分析方法は、別途の光源を用いて液体試料に光を照射し、液体試料を通過した光を別途の検出器を用いて受光して検出し、検出された光に対する分析作業を行うことにより液体試料の成分や特性を算出する方法である。
【０００４】
このとき、液体試料は、一般に、別途の透明なキュベットに供給されて流動するように提供され、このようにキュベットの内部において所定の流れを形成して流動する液体試料に光を照射することにより、液体試料に対する正確な分析作業を行うことができる。この場合、キュベットは、分析作業または液体試料の種類などに応じて非常に様々な形に作製されるが、簡単な分析作業のためには、一つのセルをなす形に形成されて内部洗浄作業の不便さを感じないような使い捨て用に構成されている。
【０００５】
かようなキュベットは、ガラスまたはアクリルなどの透明な材質から製作され、内部には流路が形成されて流路を介して液体試料が流動可能になっている。液体試料に対する光学分析作業に際しては、このようなキュベットの内部流路を貫通するように光を照射する方式により内部流路を流動する液体試料に対する特性を分析するが、このとき、キュベットの内部流路は光が貫通する方向に沿ってその距離がマイクロ単位程度に非常に短く形成されてはじめて、液体試料を通過する光の通過距離が短くなって吸光度の高い試料に対して正確な光学分析作業を行うことができる。
【０００６】
すなわち、試料の吸光度が高い場合、液体試料を通過する光の通過距離が短くなるほど一層正確な光学分析を行うことができ、これにより、液体試料が流動するキュベットの内部流路は、光が通過する方向への厚さがいかに薄く形成されたかによって液体試料に対する光学分析作業の正確性と信頼度が左右される。
【０００７】
このため、液体試料が流動するように形成されるキュベットの内部流路は、必要に応じて、マイクロ単位程度の厚さに非常に薄く形成される必要があるが、このように内部流路を非常に薄く加工する作業はその工程の難易度が非常に高いため、条件によっては高価な先端加工装備などが必要になり、これにより、製作コスト及び製作期間が増大されるだけではなく、最終製品の値段が高くて小規模の研究室などにおいても広く使用できないという問題があった。
【発明の概要】
【発明が解決しようとする課題】
【０００８】
本発明は従来の技術における問題点を解消するために案出されたものであり、その目的は、液体試料が通過する微細流路に対する特別な加工作業なしに単なる両面テープの貼着によって超薄型の流動空間を形成することにより、非常に手軽に製作可能であり、これにより製作コストが節減されて一層広く使用可能な光学分析用セルを提供することである。
【０００９】
本発明の他の目的は、吸光度の高い液体試料が流動する流動空間に対する光の通過距離を短く維持することができて正確な光学分析作業を行うことができ、これと同時に、光が通過する方向に対して垂直な面に沿って流動空間領域を拡張または変更することができて光学分析作業を一層スムーズに行うことのできる光学分析用セルを提供することである。
【００１０】
本発明のさらに他の目的は、液体試料が流動する流動空間において液体試料の流動状態を一層安定且つ均一な状態に導くことにより、光学分析作業に対する正確度を向上させることのできる光学分析用セルを提供することである。
【課題を解決するための手段】
【００１１】
本発明は、液体試料に光を照射して液体試料を分析するために用いられる光学分析用セルにおいて、中心部に液体試料が流動可能なように流動空間が貫設される両面テープと、前記両面テープの一方の面に取り付けられ、前記両面テープの流動空間に液体試料が流入可能なように前記流動空間に連通されるメイン流入流路、及び前記両面テープの流動空間から液体試料が流出可能なように前記流動空間に連通されるメイン流出流路が内部に形成される透明キュベットと、前記両面テープの他方の面に取り付けられる透明カバーと、を備えることを特徴とする光学分析用セルを提供する。
【００１２】
このとき、前記透明キュベットには、前記メイン流入流路及び前記メイン流出流路にそれぞれ連通されるように流入ポート及び流出ポートがそれぞれ外部に突出するように形成されてもよい。
【００１３】
また、前記流動空間は、周縁部の両端部が前記メイン流入流路及び前記メイン流出流路にそれぞれ連通されるように形成され、前記メイン流入流路及び前記メイン流出流路とそれぞれ連通される両端部から中心部に向かうにつれて拡張されるように形成されてもよい。
【００１４】
さらに、前記透明キュベットの前記両面テープに対する接触面上には、前記メイン流入流路及び前記メイン流出流路よりも小径の微細流入流路及び微細流出流路が前記流動空間と連通されるように形成され、前記メイン流入流路及び前記メイン流出流路はそれぞれ前記微細流入流路及び前記微細流出流路を介して前記流動空間と連通されるように形成されてもよい。
【００１５】
さらに、前記透明キュベットの外側面と前記透明カバーの外側面にはそれぞれ熱伝導プレートが結合され、前記熱伝導プレートの中心部には光が通過するように貫通孔が形成され、前記貫通孔は前記流動空間の上に位置するように形成されてもよい。
【発明の効果】
【００１６】
本発明によれば、超薄型の両面テープに流動空間を貫設し、両面テープの両面に透明キュベットと透明カバーを取り付ける方式により内部空間に液体試料が通過可能な超薄型の流動空間を形成することにより、流動空間に対する特別な加工作業なしに単なる両面テープの貼着によって非常に手軽に製作することができるという効果がある。
【００１７】
また、超薄型の両面テープを採用することにより、液体試料が流動する流動空間に対する光の通過距離を短く維持することができて吸光度の高い試料に対する正確な光学分析作業を行うことができ、これと同時に、光が通過する方向に対して垂直な面に沿って流動空間領域を拡張することができて光学分析作業を一層スムーズに行うことができるという効果がある。
【００１８】
さらに、光の通過距離を等距離に維持した状態で流動空間領域を自由に拡張または変更することができて流動空間において液体試料の流動状態を一層安定且つ均一な状態に導くことにより、光学分析作業に対する正確度を一層向上させることができるという効果がある。
【図面の簡単な説明】
【００１９】
【図１】本発明の一実施形態による光学分析用セルの構成を概略的に示す分解斜視図である。
【図２】本発明の一実施形態による光学分析用セルの組立形状を概略的に示す斜視図である。
【図３】本発明の一実施形態による光学分析用セルの透明キュベットと両面テープの結合による内部流路の構造を概略的に示す斜視図である。
【図４】本発明の一実施形態による光学分析用セルの両面テープに形成された流動空間における液体試料の流れを概念的に示す図である。
【図５】本発明の一実施形態による光学分析用セルの内部構造を概略的に示す断面図である。
【発明を実施するための形態】
【００２０】
以下、添付図面に基づき、本発明の好適な実施形態による光学分析用セルについて詳述する。先ず、各図面の構成要素に参照符号を附すに際して、同じ構成要素に対しては、たとえ他の図面の上に表示されていてもできる限り同じ符号を附していることに留意されたい。また、本発明を説明するに当たって、関連する公知構成又は機能についての具体的な説明が本発明の要旨を余計に曖昧にする虞があると判断される場合には、その詳細な説明は省略する。
【００２１】
図１は、本発明の一実施形態による光学分析用セルの構成を概略的に示す分解斜視図であり、図２は、本発明の一実施形態による光学分析用セルの組立形状を概略的に示す斜視図であり、図３は、本発明の一実施形態による光学分析用セルの透明キュベットと両面テープの結合による内部流路の構造を概略的に示す斜視図である。
【００２２】
本発明の一実施形態による光学分析用セルは、液体試料に光を照射して液体試料に対する成分または特性を分析する光学分析方法に用いられるものであり、両面テープを用いて相対的に非常に簡単且つ容易に製作することができ、両面テープ１００と、透明キュベット２００と、透明カバー３００と、を備える。
【００２３】
両面テープ１００は、両面に接着剤が塗り付けられて両面をあらゆる対象物に貼り付けることのできる通常のテープであり、透明材質または不透明材質が両方とも使用可能である。このような両面テープ１００の中心部には液体試料が流動可能なように流動空間１１０が貫設され、このように貫設された流動空間１１０を介して両面テープ１００の厚さ方向に光が通過することができる。
【００２４】
透明キュベット２００は、光が通過するようにガラスまたはアクリルなどの透明材質から形成され、両面テープ１００の一方の面に取り付けられる。透明キュベット２００の内部には、両面テープ１００の流動空間１１０に液体試料が流入したり、流動空間１１０から液体試料が流出したりするように流動空間１１０にそれぞれ連通されるメイン流入流路２３１及びメイン流出流路２４１が形成される。このような透明キュベット２００は、両面テープ１００に取り付けられるキュベット本体部２１０と、キュベット本体部２１０の一方の側に延設され、キュベット本体部２１０よりも厚いキュベット接続部２２０と、を備えていてもよい。
【００２５】
このとき、キュベット本体部２１０は光が通過するように透明材質から形成されるが、キュベット接続部２２０は不透明な材質から形成されて把持部または支持部の役割を果たすように構成されてもよい。また、キュベット本体部２１０はキュベット接続部２２０に脱着自在に嵌合されるように構成されてもよく、これにより、キュベット本体部２１０のみ新たに取り替える方式により新たな透明キュベット２００を形成することができるので、使用後に廃棄される部品を低減することができてメンテナンスコストを節減することができ、しかも、一層効率よく使用可能である。
【００２６】
一方、このような透明キュベット２００は、光が通過するように透明材質から形成されるが、このとき、透明キュベット２００は、製造過程において色素が添加されて製作されてもよく、これにより、特定の波長の光を選択的に低減可能な光学フィルタの役割を果たすことができる。
【００２７】
透明カバー３００は、透明キュベット２００と同様に、光が通過するようにガラスまたはアクリルなどの透明材質から形成され、両面テープ１００の他方の面に取り付けられる。
【００２８】
このような構造により、両面テープ１００の両面にはそれぞれ透明キュベット２００と透明カバー３００が取り付けられるため、両面テープ１００に貫設された流動空間１１０は、透明キュベット２００と透明カバー３００によって両側面が外部と遮断されて密閉された構造を有する。すなわち、流動空間１１０は、両面テープ１００の厚さに見合う分だけの超薄型の空間となる。このとき、透明キュベット２００の内部には流動空間１１０と連通されるようにメイン流入流路２３１及びメイン流出流路２４１が形成されるため、流動空間１１０には、メイン流入流路２３１から液体試料が流入した後にメイン流出流路２４１を介して液体試料が流出されるような方式により液体試料が供給され得る。
【００２９】
このような光学分析用セルを用いて光学分析作業を行う場合、図２に示すように、別途の光源部５００から発せられた光が超薄型の流動空間１１０を流動する液体試料に照射されることにより、液体試料を通過する光の通過距離が短くなり、これにより、高い吸光度の試料に対する正確な光学分析作業を行うことができる。
【００３０】
このため、本発明の一実施形態による光学分析用セルは、従来の技術とは異なり、キュベットの内部に微細流路を形成することなく、単に超薄型の両面テープ１００に流動空間１１０を貫設し、このような両面テープ１００の両面に透明キュベット２００と透明カバー３００を取り付けるような方式により透明キュベット２００と透明カバー３００との間の内部空間に液体試料が通過可能な超薄型の流動空間１１０を形成することにより、特別な加工作業なしにも簡単に光学分析用セルを製作することができる。このような光学分析用セルを用いて液体試料に対する光学分析作業を行う場合には、光源部５００から発せられる光Ｌが流動空間１１０領域内のある地点Ｌ１を通過するように配置されることが好ましい。
【００３１】
より具体的に、液体試料に対する光学分析を行うためには、従来の技術において説明したように、液体試料を通過する光の通過距離が短くなるように透明なキュベットの内部に超薄型の流路を形成し、このような内部流路を通過する液体試料に光を照射して液体試料に対する光学分析作業を行うことになる。
【００３２】
本発明の一実施形態による光学分析用セルは、上述したように、流動空間１１０が形成された両面テープ１００の両面に透明キュベット２００と透明カバー３００を取り付けることにより、別途の加工工程なしに簡単な方法により透明キュベット２００と透明カバー３００との間の内部空間に液体試料が通過可能な流動空間１１０を形成することができる。このとき、流動空間１１０は、両面テープ１００と同じ厚さを有するため、必要に応じて、マイクロ単位の超薄型の両面テープ１００を用いることにより、マイクロ単位レベルの超薄型の流動空間１１０を簡単に形成することができる。
【００３３】
このような光学分析用セルを用いて光学分析作業を行う場合、両面テープ１００に形成された超薄型の流動空間１１０領域内のある地点Ｌ１から厚さ方向に沿って光が照射されることにより、液体試料を通過する光の通過距離を非常に短く形成することができるので、高い吸光度の試料に対する正確な光学分析作業を行うことができる。
【００３４】
一方、透明キュベット２００には、このような流動空間１１０に液体試料が流入したり流動空間１１０から液体試料が流出したりするように内部にメイン流入流路２３１及びメイン流出流路２４１が形成されるが、このようなメイン流入流路２３１及びメイン流出流路２４１は単に液体試料を流動空間１１０に供給するためのものであり、実際に光学分析のための光が照射されるものではないため、超薄型である必要がなく、十分な液体試料の供給及び加工し易さのために相対的に広く形成されることが好ましい。このため、メイン流入流路２３１及びメイン流出流路２４１は、微細加工工程を用いて製作する必要がないため、ドリルなどの通常の工具を用いて透明キュベット２００の内部空間に溝を加工する方式により形成したり、透明キュベット２００を射出形成する過程で一体に形成したりするなど通常の簡単な製作工程により形成することができる。
【００３５】
また、このような透明キュベット２００には、メイン流入流路２３１及びメイン流出流路２４１にそれぞれ連通されるように流入ポート２３０及び流出ポート２４０がそれぞれ外部に突出するように形成されてもよい。これは、外部から流動空間１１０に液体試料を供給するためのものであり、例えば、別途の液体試料供給部（図示せず）から流入ポート２３０を介して液体試料を供給し、流出ポート２４０を介して別途の排出口（図示せず）に液体試料を排出することができる。
【００３６】
このため、外部から流入ポート２３０を介して供給された液体試料はメイン流入流路２３１を介して超薄型の流動空間１１０に流入し、次いで、流動空間１１０に沿って流動した後にメイン流出流路２４１に流出され、メイン流出流路２４１から流出ポート２４０を介して外部に排出される。このような過程を経て液体試料が連続して流動空間１１０を流動する。
【００３７】
このように透明キュベット２００の内部にはメイン流入流路２３１及びメイン流出流路２４１が形成され、このようなメイン流入流路２３１及びメイン流出流路２４１が直接的に両面テープ１００の流動空間１１０と連通されるように形成されてもよいが、図１及び図３に示すように、透明キュベット２００の両面テープ１００に対する接触面の上に別途の微細流入流路２３２及び微細流出流路２４２が形成され、これらを介して両面テープ１００の流動空間１１０と連通されるように形成されてもよい。
【００３８】
すなわち、透明キュベット２００の表面に形成された微細流入流路２３２及び微細流出流路２４２は、一方の端部が透明キュベット２００の内部に形成されたメイン流入流路２３１及びメイン流出流路２４１にそれぞれ連通されるように形成され、他方の端部は両面テープ１００の流動空間１１０と連通されるように形成されてもよく、これらの微細流入流路２３２及び微細流出流路２４２を介してメイン流入流路２３１及びメイン流出流路２４１が流動空間１１０と連通されるように形成されてもよい。このとき、微細流入流路２３２及び微細流出流路２４２はメイン流入流路２３１及びメイン流出流路２４１よりも小径に形成されることが好ましい。
【００３９】
このため、流入ポート２３０を介して流入した液体試料はメイン流入流路２３１に沿って微細流入流路２３２に流入し、次いで、微細流入流路２３２から流動空間１１０に流入する。なお、流動空間１１０に流入した液体試料は流動空間１１０から微細流出流路２４２を介して流出され、次いで、メイン流出流路２４１及び流出ポート２４０を介して外部に排出される。
【００４０】
このようにメイン流入流路２３１と流動空間１１０との間に微細流入流路２３２が形成されることにより、相対的に内部直径が大きなメイン流入流路２３１から相対的に超薄型の流動空間１１０に流入する液体試料の流動状態が一層安定的に保たれる。
【００４１】
すなわち、メイン流入流路２３１の直径は、上述したように相対的に大きく形成されるが、これに比べて、流動空間１１０の厚さは相対的に遥かに薄く形成されるため、メイン流入流路２３１から直接的に流動空間１１０に液体試料が流入すると、このような直径及び厚さの違いによって流動圧力差が生じて流動空間１１０に流入する液体試料の流動状態が不安定になる。光が照射される領域である流動空間１１０において液体試料の流動状態が安定的に保たれなければ、一層正確な光学分析作業を行うことができないため、本発明の一実施形態により、透明キュベット２００の表面にメイン流入流路２３１よりも相対的に小径の微細流入流路２３２を形成し、微細流入流路２３２から流動空間１１０に液体試料が流入することにより、液体試料の不安定な流動状態を緩和させることができる。
【００４２】
換言すれば、メイン流入流路２３１と流動空間１１０の直径及び厚さの違いによって生じる液体試料の不安定な流動状態を微細流入流路２３２を用いて緩和させることにより、流動空間１１０に流入する液体試料の流動状態をより安定化させることができる。したがって、相対的により正確な光学分析作業を行うことができる。
【００４３】
ここで、微細流入流路２３２についてのみ説明したが、微細流出流路２４２の作動原理も微細流入流路２３２の作動原理と同様であり、流動空間１１０とメイン流出流路２４１との間において流動空間１１０から流出される液体試料の不安定な流動状態を緩和させることができる。
【００４４】
一方、透明キュベット２００の外側面と透明カバー３００の外側面にはそれぞれ別途の熱伝導プレート４００が結合され、このような熱伝導プレート４００の中心部には光が通過するように貫通孔４１０が形成され、貫通孔４１０は、両面テープ１００の流動空間１１０の上に配置されるように形成される。
【００４５】
熱伝導プレート４００は、熱伝導性に優れており、しかも、軽量のアルミニウムなどの材質から形成されてもよく、不透明な材質から形成されるため、両面テープ１００の流動空間１１０に光が照射可能なように熱伝導プレート４００の中心部には貫通孔４１０が形成され、このような貫通孔４１０は、流動空間１１０の上に位置するように配置される。
【００４６】
このように熱伝導プレート４００が結合されることにより、光学分析用セルの内部に熱を伝えることができて、内部流路を介して流動する液体試料に対して特定の温度条件を維持することができる。
【００４７】
例えば、液体試料が血液であり、このような血液に対する光学分析作業を行う場合、血液の流動状態を人体と最大限に近い環境条件に維持しなければ、正確な血液分析結果が得られないため、血液の流動する流動空間１１０における温度を、人体の温度とほとんど同じ３７．５℃に維持することが好ましい。このため、別途の熱伝導プレート４００を外側面に取り付けることにより、光学分析用セルの内部温度を所定の温度に維持することができる。例えば、熱伝導プレート４００を熱湯や光に露出させる方式により加熱してもよく、これにより内部温度を上昇させて維持することができる。
【００４８】
すなわち、熱伝導プレート４００は光学分析用セル内部の温度を所定の温度に維持する機能だけではなく、外部の衝撃などの物理的な損傷から保護する機能をする。
【００４９】
次いで、両面テープ１００に形成された流動空間１１０の形状について、図４及び図５に基づいて説明する。図４は、本発明の一実施形態による光学分析用セルの両面テープに形成された流動空間における液体試料の流れを概念的に示す図であり、図５は、本発明の一実施形態による光学分析用セルの内部構造を概略的に示す断面図である。
【００５０】
両面テープ１００の流動空間１１０は、図１及び図３に示すように、周縁部の両端部１１１、１１２がメイン流入流路２３１及びメイン流出流路２４１とそれぞれ連通されるように形成されるが、このような流動空間１１０は、単に同じ直径に長く延びて形成されてもよい。
【００５１】
しかしながら、本発明の一実施形態による流動空間１１０は、図１、図３及び図４に示すように、メイン流入流路２３１及びメイン流出流路２４１とそれぞれ連通される両端部１１１、１１２から中心部に向かうにつれてその直径が広くなるように形成され、これにより、液体試料の流動状態をより均一な状態に導くことができ、且つ、光源部５００を用いた光の照射領域を拡張することができて、光学分析作業を一層容易に行うことができる。
【００５２】
より具体的に、液体試料に対する光学分析を行うためには、図２に示すように、別途の光源部５００から光Ｌを発して液体試料に照射した後、液体試料を通過した光を別途の検出部６００を介して受光して検出し、これを分析して液体試料に対する特性分析を行うことになる。このとき、光源部５００から発せられた光Ｌは、上述したように、流動空間１１０領域内のある地点Ｌ１を通過するように構成されるが、この場合、流動空間１１０は、中心部においてその幅が広くなるように形成されるため、光源部５００から発せられた光が流動空間１１０領域内の地点を通過するように配置することが容易であり、これにより、光学分析作業を一層円滑且つ正確に行うことができる。
【００５３】
本発明の一実施形態による流動空間１１０は、このように中心部においてその幅が広くなっても、その構造からみて流動空間１１０の厚さが変化しないため、光が通過する通過距離は増大されない。このため、このようなタイプの流動空間１１０を用いて光学分析作業の正確性が下がることなく光学分析作業を容易に行うことができる。
【００５４】
また、このようなタイプの流動空間１１０は、周縁部両端部１１１、１１２から中心部に向かうにつれて拡張されるため、図４に示すように、メイン流入流路２３１と連通される一方の端部１１１から中心部に向かうにつれて液体試料が拡散しながら流動する。したがって、液体試料に含有されている様々な粒子成分が互いに固まったり混合されたりすることなく広い面積に亘って均一に拡散・分布可能になるため、すなわち、液体試料が一層均一な状態で流動して分布するため、一層正確な光学分析作業を行うことができる。例えば、液体試料が血液である場合、血液内に含有される血小板、電解質、白血球、赤血球など様々な成分が互いに固まったり混合されたりすることなく広い流動空間に亘って均一に拡散・分布可能になるため、血液に対する一層正確な光学分析作業を行うことができる。
【００５５】
すなわち、本発明の一実施形態による光学分析用セルは、両面テープ１００によって流動空間１１０が光が通過する方向に非常に薄い厚さを有するように形成されることにより、光の通過距離を短く維持することができて高い吸光度を有する試料に対する正確な光学分析作業を行うことができ、これと同時に、光が通過する方向に対して垂直な面に沿って流動空間１１０領域を拡張することができて光学分析作業を一層円滑に行うことができるだけではなく、液体試料を一層均一な流動状態に導いて光学分析作業に対する正確度を一層高めることができる。
【００５６】
一方、以上では、流動空間１１０の形状として、周縁部の両端部１１１、１１２から中心部に向かうにつれて拡張される場合を例にとって説明したが、これとは異なり、ユーザの必要に応じて、単に一字状または折曲状に形成されてもよいなど、流動空間１１０において試料の流れに変化を与えうる様々な幾何学的な形状に変更可能である。
【００５７】
以上の説明は、本発明の技術思想を例示的に説明したものに過ぎず、本発明が属する技術分野において通常の知識を有する者であれば、本発明の本質的な特性から逸脱しない範囲内において種々の修正及び変形が可能である。よって、本発明に開示されている実施形態は本発明の技術思想を限定するためのものではなく、単に説明するためのものであり、このような実施形態によって本発明の技術思想の範囲が限定されることはない。本発明の保護範囲は、下記の特許請求の範囲によって解釈されなければならず、これと同等な範囲内にあるあらゆる技術思想は本発明の権利範囲に含まれるものと解釈さるべきである。
【符号の説明】
【００５８】
１００：インバーター部
１１０：流動空間
２００：透明キュベット
２３１：メイン流入流路
２４１：メイン流出流路
２３２：微細流入流路
２４２：微細流出流路
３００：透明カバー
４００：熱伝導プレート
【図１】
0005777809.tif 000002
【図２】
0005777809.tif 000003
【図３】
0005777809.tif 000004
【図４】
0005777809.tif 000005
【図５】
0005777809.tif 000006